(57)【要約】【課題】輸送時には花卉類を保護できるとともに、展示する際には見栄えが良く、輸送及び展示に便利な実用性が高い花卉用箱装置を提供する。【解決手段】底壁２０と周壁（２１〜２４）と天壁２５とを有する中空の箱体１２と、箱体１２内部の底側に設置され、花卉を保持する内台部１４と、周壁（２１〜２４）の一部であって、周壁の前面側を開閉可能に設けられ、開放状態で前面側に箱体１２の中空内部に連通する開口部を形成する開閉扉部１６と、開閉扉部１６を閉鎖状態で保持する態様（Ｔ１）と、同開閉扉部を開いて他の周壁部分に重ね合わせた状態で保持する態様（Ｔ２）と、を変換できる係止手段１８と、を備えた花卉用箱装置１０から構成される。【選択図】図１
2015205694.tif 000002
【特許請求の範囲】
【請求項１】
底壁と周壁と天壁とを有する中空の箱体と、
箱体内部の底側に設置され、花卉を保持する内台部と、
周壁の一部であって、周壁の前面側を開閉可能に設けられ、開放状態で前面側に箱体の中空内部に連通する開口部を形成する開閉扉部と、
開閉扉部を閉鎖状態で保持する態様と、同開閉扉部を開いて他の周壁部分に重ね合わせた状態で保持する態様と、を変換できる係止手段と、を備えたことを特徴とする花卉用箱装置。
【請求項２】
箱体の天壁は、開閉可能に設けられ、開放状態では天面側に中空内部に連通する天面側開口部を形成することを特徴とする請求項１記載の花卉用箱装置。
【請求項３】
天壁は開閉扉部の上端に一体的に接続され、開閉扉部の開放状態では開閉扉部と重ね合わせられるように曲げ伸ばし可能に設けられたことを特徴とする請求項２記載の花卉用箱装置。
【請求項４】
箱体は、横断面形状が四角形状の矩形状箱体からなり、周壁の前面壁に開閉扉部が設けられており、
箱体の周壁のうち左右に配置される側面壁の一方に開閉扉部が接続され、かつ左右側面壁は、前後方向中間位置で該側面壁の前部側部分を曲げ伸ばし自在に折り曲げ開閉可能に設けられたことを特徴とする請求項１ないし３のいずれかに記載の花卉用箱装置。
【請求項５】
内台部は、箱体の下部側に嵌合して着脱可能に設置され、
箱体の後面壁に沿って縦方向に延設されて上端を閉鎖された天壁の位置に設定した背面部を有することを特徴とする請求項４記載の花卉用箱装置。
【請求項６】
箱体の前面壁は、下部側に固定壁部が形成されその上方側に開閉扉部が形成されており、
内台部は、花卉を保持する台板部が箱体の前面壁の固定壁部より高くに設定されたことを特徴とする請求項４又は５記載の花卉用箱装置。
【請求項７】
内台部は、箱体の左右の側面壁に沿って高く立設されたサイド部を有することを特徴とする請求項４ないし６のいずれかに記載の花卉用箱装置。
【請求項８】
係止手段は、開閉扉部と該開閉扉部と接続されていない他の側面壁とのいずれか一方から突出して設けられた突設片と、
開閉扉部と該他の側面壁とのいずれか他方に設けられ該突設片が差し入れられる差込み孔部と、を含むことを特徴とする請求項４ないし７のいずれかに記載の花卉用箱装置。
【請求項９】
内台部は、台板部の花卉を保持する部分以外の一部分を開口して受け皿又は小物類を支持させる支持部を有することを特徴とする請求項１ないし８のいずれかに記載の花卉用箱装置。
【発明の詳細な説明】
【技術分野】
【０００１】
本発明は、花や観葉植物等の花卉を展示したり、運搬したり、保管するのに利用される花卉用箱装置に関する。
【背景技術】
【０００２】
花や観葉植物等の花卉類は、花屋等の店頭で展示されて販売され、購入された後に段ボール箱内に入れられて運搬される場合が多い。従来、注文後に花屋で花卉類を段ボール箱に入れて封をして搬送されるとともに、搬送先で箱を開けて花卉類を取り出す作業を必要とすることから、手間や時間がかかるとともに、花卉類の箱からの出し入れの際に花卉類を損傷させやすい問題があった。一方、例えば、特許文献１には、花卉類を箱に入れた状態で展示したり、運搬することができるキャリーケースの技術が開示されている。
【先行技術文献】
【特許文献】
【０００３】
【特許文献１】特開２０１３−１６６５５９号公報
【発明の概要】
【発明が解決しようとする課題】
【０００４】
しかしながら、特許文献１のキャリーケースでは、常に正面側が開口され花卉類が露出された状態となるので、例えば、トラックの輸送等の際に花卉類が傷付けられやすく、実用性に劣るものであった。さらに、花卉類は見た目が重要であり、花卉類に当たる光の加減により売れ行きが左右されやすいが、特許文献１のキャリーケースでは、天面側がほとんど閉鎖されているので、展示した状態では上からの光が花卉類にあたりにくく、花卉類を美しく見せることが困難であり、商品価値を落とす問題があった。また、特許文献１のキャリーケースでは、左右の側面全体が側面板で閉鎖されているので、花卉類をキャリーケースから出し入れする際に花卉類を損傷させてしまうおそれが高かった。
【０００５】
本発明は上記従来の課題に鑑みてなされたものであり、その一つの目的は、輸送時には花卉類を保護できるとともに、展示する際には見栄えが良く、輸送、保管及び展示に便利な実用性が高い花卉用箱装置を提供することにある。
【課題を解決するための手段】
【０００６】
上記課題を解決するために本発明は、底壁２０と周壁（２１〜２４）と天壁２５とを有する中空の箱体１２と、箱体１２内部の底側に設置され、花卉Ｆを保持する内台部１４と、周壁（２１〜２４）の一部であって、周壁の前面側を開閉可能に設けられ、開放状態で前面側に箱体１２の中空内部に連通する開口部を形成する開閉扉部１６と、開閉扉部１６を閉鎖状態で保持する態様（Ｔ１）と、同開閉扉部を開いて他の周壁部分に重ね合わせた状態で保持する態様（Ｔ２）と、を変換できる係止手段１８と、を備えた花卉用箱装置１０から構成される。
【０００７】
また、箱体１２の天壁２５は、開閉可能に設けられ、開放状態では天面側に中空内部に連通する天面側開口部を形成することとしてもよい。
【０００８】
また、天壁２５は開閉扉部１６の上端に一体的に接続され、開閉扉部１６の開放状態では開閉扉部１６と重ね合わせられるように曲げ伸ばし可能に設けられたこととしてもよい。
【０００９】
また、箱体１２は、横断面形状が四角形状の矩形状箱体からなり、周壁の前面壁２１に開閉扉部１６が設けられており、箱体１２の周壁のうち左右に配置される側面壁２３、２４の一方に開閉扉部１６が接続され、かつ左右側面壁２３、２４は、前後方向中間位置で該側面壁２３、２４の前部側部分２３Ｆ、２４Ｆを曲げ伸ばし自在に折り曲げ開閉可能に設けられたこととしてもよい。
【００１０】
また、内台部１４は、箱体１２の下部側に嵌合して着脱可能に設置され、箱体１２の後面壁２２に沿って縦方向に延設されて上端を閉鎖された天壁２５の位置に設定した背面部３９を有することとしてもよい。
【００１１】
また、箱体１２の前面壁２１は、下部側に固定壁部２１ａが形成されその上方側に開閉扉部１６が形成されており、内台部１４は、花卉を保持する台板部１４が箱体１２の前面壁２１の固定壁部２１ａより高く設定されたこととしてもよい。
【００１２】
また、内台部１４は、箱体１２の左右の側面壁２３、２４に沿って高く立設されたサイド部４０、４１を有することとしてもよい。
【００１３】
また、係止手段１８は、開閉扉部１６と該開閉扉部と接続されていない他の側面壁とのいずれか一方から突出して設けられた突設片２６と、開閉扉部１６と該他の側面壁とのいずれか他方に設けられ該突設片２６が差し入れられる差込み孔部３２と、を含むこととしてもよい。
【００１４】
また、内台部１４は、台板部１４の花卉Ｆを保持する部分以外の一部分を開口して受け皿又は小物類を支持させる支持部４２を有することとしてもよい。
【発明の効果】
【００１５】
本発明の花卉用箱装置によれば、底壁と周壁と天壁とを有する中空の箱体と、箱体内部の底側に設置され、花卉を保持する内台部と、周壁の一部であって、周壁の前面側を開閉可能に設けられ、開放状態で前面側に箱体の中空内部に連通する開口部を形成する開閉扉部と、開閉扉部を閉鎖状態で保持する態様と、同開閉扉部を開いて他の周壁部分に重ね合わせた状態で保持する態様と、を変換できる係止手段と、を備えたことから、例えば、運搬や保管する際には開閉扉部を閉鎖して箱体に収容した花卉を保護できるとともに、展示、陳列等する際には、開閉扉部を開くとともに周壁に重ね合わせて邪魔になったり見栄えを損なわないようにして良好に展示できる。その結果、商品価値が高く実用性を向上できる。
【００１６】
また、箱体の天壁は、開閉可能に設けられ、開放状態では天面側に中空内部に連通する天面側開口部を形成する構成とすることにより、展示する際に開閉扉部を開放すると同時に天壁を開放することにより、箱体内の花卉に光があたりやすく、該花卉を見栄え良く展示できる。
【００１７】
また、天壁は開閉扉部の上端に一体的に接続され、開閉扉部の開放状態では開閉扉部と重ね合わせられるように曲げ伸ばし可能に設けられた構成とすることにより、開閉扉部と天壁の開閉操作を同時に行え、使い勝手が良ううえ、簡単に製造できる。
【００１８】
また、箱体は、横断面形状が四角形状の矩形状箱体からなり、周壁の前面壁に開閉扉部が設けられており、箱体の周壁のうち左右に配置される側面壁の一方に開閉扉部が接続され、かつ左右側面壁は、前後方向中間位置で該側面壁の前部側部分を曲げ伸ばし自在に折り曲げ開閉可能に設けられた構成とすることにより、側面壁の折り曲げを利用して開閉扉部を箱体の裏面側に重ね合わせて開閉扉部が邪魔になることなく全体的に見栄え良くできる。さらに、開閉扉部と天壁とが接続されている場合には、開閉扉部と天壁との開閉動作の際に天壁が側面壁に当たりにくくスムーズに開閉することができる。また、箱体の側面壁の一部が開放されるので、花卉を傷付けることなく出し入れ作業やメンテナンス作業を行いやすい。
【００１９】
また、内台部は、箱体の下部側に嵌合して着脱可能に設置され、箱体の後面壁に沿って縦方向に延設されて上端を閉鎖された天壁の位置に設定した背面部を有する構成とすることにより、閉鎖状態では、天壁と内台部の背面部が協同して該内台部がずれにくく、輸送時に箱体内の花卉が内台部ごとずれて損傷してしまうのを良好に防止できる。また、内台部のずれ防止機能を見栄えを損なうことなく、簡単な構造で具体的に実現できる。
【００２０】
また、箱体の前面壁は、下部側に固定壁部が形成されその上方側に開閉扉部が形成されており、内台部は、花卉を保持する台板部が箱体の前面壁の固定壁部より高く設定された構成とすることにより、開閉扉部を閉鎖した際に、内台部がストッパとして開閉扉部が箱体内部側に入り込んで花卉を傷付けるのを確実に防止できる。
【００２１】
また、内台部は、箱体の左右の側面壁に沿って高く立設されたサイド部を有する構成とすることにより、箱体の強度を向上できるとともに、側面壁が箱体内側に折り曲がるのを規制して、花卉を傷付けるのを確実に防止できる。また、サイド部の形状や模様をデザインして、より意匠感を向上して高い商品価値を実現できる。
【００２２】
また、係止手段は、開閉扉部と該開閉扉部と接続されていない他の側面壁とのいずれか一方から突出して設けられた突設片と、開閉扉部と該他の側面壁とのいずれか他方に設けられ該突設片が差し入れられる差込み孔部と、を含む構成とすることにより、係止手段を簡単な構成で低コストで製造できる。
【００２３】
また、内台部は、台板部の花卉を保持する部分以外の一部分を開口して受け皿又は小物類を支持させる支持部を有する構成とすることにより、花卉と一緒に受け皿や花育成用の小物類、メッセージカードを運搬することができる。
【図面の簡単な説明】
【００２４】
【図１】本発明の一実施形態に係る花卉用箱装置の斜視図であり、（ａ）箱体を閉鎖した状態、（ｂ）箱体を開放した状態、の説明図である。
【図２】図１の花卉用箱装置の分解斜視図である。
【図３】図１（ａ）の花卉用箱装置の正面図である。
【図４】図３の花卉用箱装置の左側面図である。
【図５】図３の花卉用箱装置のＡ−Ａ線断面図である。
【図６】図３の花卉用箱装置のＢ−Ｂ線断面図である。
【図７】図１（ｂ）の花卉用箱装置の左側面図である。
【図８】図７の花卉用箱装置の縦断面図である。
【図９】図１の花卉用箱装置の開閉扉部を開放する動作の途中をあらわす説明図である。
【図１０】図１の花卉用箱装置の開閉扉部を開放する動作の途中をあらわす説明図である
【図１１】図１の花卉用箱装置の開閉扉部を開放する動作の途中をあらわす説明図であり、背面側から見た斜視図である
【図１２】図１の花卉用箱装置の作用説明図である。
【発明を実施するための形態】
【００２５】
以下添付図面を参照しつつ本発明の花卉用箱装置の実施形態について説明する。本発明に係る花卉用箱装置は、例えば、生花、造花、観葉植物等の花卉類を収容でき、その収容状態で展示陳列、保管、輸送することができる展示兼搬送箱である。図１ないし図１２は、本発明の花卉用箱装置の一実施形態を示している。図１、図２、図９に示すように、本実施形態において、花卉用箱装置１０は、箱体１２と、内台部１４と、開閉扉部１６と、係止手段１８と、を備えている。
【００２６】
箱体１２は、図１、図３、図４、図５に示すように、内部が中空で花卉Ｆの収容空間を有する中空ケースである。本実施形態では、箱体１２は、例えば、横断面四角形状となる縦長矩形状箱体からなり、底壁２０と、底壁２０の四辺から立設した４つの周壁（２１〜２４）と、周壁の上部側で底壁２０と対向して配置される天壁２５と、を有し、内部を中空としている。箱体１２は、例えば、段ボール紙からなり、一枚の段ボールを所定の折り線で折り曲げて設けられ、折り込みした紙片どうしの重ね合わせによる係合又は糊付により箱形態が保たれている。周壁は、前面側に配置される前面壁２１と、前面壁２１と平行に対向して後面側に配置される後面壁２２と、左右に互いに平行に対向して配置される左側面壁２３、右側面壁２４と、からなる。底壁２０は、矩形状に形成され箱体１２の底面を閉鎖する固定板部材である。
【００２７】
箱体１２の前面壁２１は、例えば、一部（上位側の約４／５程度）が開閉扉部１６として可動板を構成し、残りの下部側（下位側の約１／５程度）が固定壁部２１ａとなっている。前面壁２１の開閉扉部１６には、内部を覗くための窓部２７が形成され透明のフィルムが貼付されている。開閉扉部１６は、矩形状に形成されており、縦側の一辺を右側面壁２４の前端に折り線を介して曲げ伸ばし自在に一体的に接続されている。よって、開閉扉部１６は、図９、図１０にも示すように、横開き式の扉となっており、閉鎖されると箱体１２の前面側全体を閉鎖し、開放されると箱体の前面側に中空内部に連通する開口部が形成される。開閉扉部１６の他方の縦辺の上下方向中間位置には、突設片２６が折り線を介して曲げ伸ばし自在に一体的に接続されている。
【００２８】
図２、図１１にも示すように、後面壁２２は、前面壁２１に対向して配置され箱体１２の後面側を閉鎖しており固定壁として設けられている。後面壁２２の上端側には、後述する天壁２５の係止用突設片を受ける横長スリット状の差し込み孔部２８が穿孔されている。なお、後面壁２２の上端側の円弧片は、意匠感を良くするための装飾である。
【００２９】
図１、図９、図１０、図１１に示すように、左右側面壁２３、２４は、後端側で背面壁２２と一体的に接続されて前端側ではそれらの下位側で前面壁２１の固定壁部２１ａに一体的に接続される。左右側面壁２３、２４は、前面壁２１の固定壁部２１ａの上端から後方側に向けて中央位置まで切り込まれた切り込み線２３ａ、２４ａにより、一部が分割されるとともに、前後中間位置の折れ線２３Ｌ、２３Ｌを介してその前部側部分２３Ｆ、２４Ｆを曲げ伸ばし自在に折り曲げ開閉可能に設けられている。すなわち、左右側面壁２３、２４は、略Ｌ字状の固定部２３Ｂに対して折れ線２３Ｌ、２４Ｌから前部側部分２３Ｆ、２４Ｆを曲げ伸ばして、箱体１２の側面側を閉鎖するように平面状に伸ばした状態（図１（ａ））と、箱体１２の側面側の前方を開放するように前部側部分２３Ｆ、２４Ｆを後部側部分２３Ｂ、２４Ｂと重ね合わせた状態（図１（ｂ））と、に変更することができる。本実施形態では、左右側面壁２３、２４の折れ線２３Ｌ、２４Ｌは、該側面壁を略２等分する位置に設定されており、前部側部分２３Ｆ、２４Ｆを折り曲げて重ねた状態で箱体の側面はＬ字状に閉鎖され前部側略半部が開放される。
【００３０】
左側面壁２３は、箱体側面の閉鎖状態で前端辺側に曲げ代部３０が折り線を介して曲げ伸ばし自在に一体的に接続されている。曲げ代部３０には、例えば、開閉扉部１６に設けられた突設片２６が差し込まれる縦長スリット状の差し込み孔部３２が穿孔されている。左側面壁２３を折り線２３Ｌを介して折り曲げて前後部分を折り畳むと、曲げ代部３０が、後面壁２２の後ろの一部に重ね合わせられる。右側面壁２４の前部側部分２４Ｆの前端辺側には上述のように開閉扉部１６が折り線を介して曲げ伸ばし自在に一体的に接続されている。さらに、右側面壁２４が略中央で折り曲げられるので、開閉扉部１６を開放したから右側面壁の前部側２４Ｆを折り曲げて側面壁の前後部分どうしを折り畳むと開閉扉部１６を背面壁２２の後ろに重ね合わせることができる。左右側壁２３、２４の上部側には、指掛け孔２９が設けられている。なお、左右側面壁２３、２４の上端側の円弧片は、意匠感を良くするための装飾である。
【００３１】
図１、図５、図９に示すように、天壁２５は、例えば、矩形板状に形成され、箱体１２の天面側を開閉可能に閉鎖するように設けられる。天壁２５を開放した状態では、箱体１２の天面側に中空内部に連通する天面側開口部が形成される。本実施形態では、天壁２５は、開閉扉部１６の上端に折れ線を介して曲げ伸ばし自在に一体的に接続されている。よって、天壁２５は、開閉扉部１６とともに可動するようになっており、開閉扉部１６の開閉動作に伴って箱体１２の天面側を開閉するように開閉自在に設けられている。図８、図１１に示すように、天壁２５は、開閉扉部１６を開放した際に、該開閉扉部１６に重ね合わせられるようになっており、その重ねた状態で開閉扉部１６とともに後面壁２２に重ね合わせられる。天壁２５の後端には、突設片３４が折れ線を介して曲げ伸ばし自在に一体的に接続されている。天壁２５の突設片３４は、後面壁の孔部２６に差し込まれて該突設片３４を折り曲げることで、天壁２５と後面壁２２とを係止して閉鎖状態Ｔ１を保持することができる。
【００３２】
図１、図９、図１１に示すように、係止手段１８は、開閉扉部１６を閉鎖状態で保持する態様Ｔ１と、開閉扉部１６を開いて他の周壁部分に重ね合わせた状態で保持する態様Ｔ２と、を選択的に変換できる係止手段である。本実施形態では、図９に示すように、係止手段１８は、開閉扉部１６から突出して設けられた突設片２６と、左側面壁２３の曲げ代部２８に設けられた差し込み孔部３２と、を含む。図１（ａ）、図９に示すように、開閉扉部１６を閉鎖する際には、箱体１２の前面側に配置される開閉扉部１６の突設片２６を左側面壁２３の差し込み孔部３２に差し込んで係着することで閉鎖状態Ｔ１を保持できる。なお、本実施形態では、開閉扉部１６に接続された天壁２５の突設片３４を後面壁２２の差し込み孔部２８に差し込んで折り曲げることにより、前述の開閉扉部の突設片２６と協働して開閉扉部１６の閉鎖状態を保持する。一方、図１（ｂ）、図１１に示すように、開閉扉部１６を開放した状態では、右側面壁２４を折り線２４Ｌで折り曲げて開閉扉部１６を後面壁２２に重ね合わせた状態で前記同様の突設片２６を、同じく左側面壁２３を折り線２３Ｌで折り曲げて重ね合わせて後面壁２２に重ね合わせた曲げ代部２８の差し込み孔部３２に差し込んで係着することにより開閉扉部１６を重ねて収束した状態Ｔ２を保持できる。箱体１２は、矩形状箱体の態様（Ｔ１）と、前面側と天面側を開口したＬ字状箱体の展示態様（Ｔ２）と、に変換され、係止手段１８によりそれぞれの態様で保持される。係止手段１８は、例えば、上記とは逆に左側面壁２３側に突設片を形成し、開閉扉部１６側に差し込み孔を形成することとしてもよい。
【００３３】
図１、図２、図６に示すように、内台部１４は、箱体１２内部の底側に設置され、花卉を保持する内置き式の花卉載置台である。本実施形態では、内台部１４は、箱体１２内部の下部側であって、前面壁２１の固定壁部２１ａと左右側面壁２３、２４と背面壁２２とで囲まれた下部側収容空間内に嵌合して、着脱可能に設置される。内台部１４は、例えば、段ボールを折り曲げて形成されており、台板部３６と、台板部３６の前端辺から下に折り曲げて配置された前板部３７と、台板部３６の左右側方から下に折り曲げて配置された側板部３８と、台板部３６より上方に立設される背面板部３９及び左右サイド板部４０、４１と、を有する。
【００３４】
台板部３６は、平面視矩形状に形成されており、円形状の孔４２と該円形状の孔４２から放射状に切り込まれた切り込み４４が設けられ、該孔４２に鉢植えされた花卉等が差し込まれて保持される。さらに、内台部１４の台板部３６には、花卉を保持する孔４２以外の部分に、台板部３６の一部を開口して受け皿又は花卉栽培用小物類や贈答用の小物類を支持させる支持部４６が設けられている。支持部４６は、例えば、台板部の一部にミシン目を設けることで実現されており、使用時にミシン目を切断して開口を形成することにより受け皿や小物類を支持することができる。
【００３５】
図１、図７、図８に示すように、内台部１４の台板部３６の高さ、すなわち、前板部３７と側板部３８の高さ、は、前壁部２１の固定壁部２１ａの高さよりも高く設定されている。すなわち、内台部１４は、開閉扉部の閉鎖状態で該開閉扉部の下端を係止するように箱体内に設置され、開閉扉部のストッパ部を形成する。これにより、開閉扉部１６を閉鎖した際に、箱体の前面側で開閉扉部１６の下端が内台部１４に当たり内部へ移動するのを規制することができる。
【００３６】
内台部１４の背面板部３９は、台板部３６の後端に一体的に接続されており、箱体１２の後面壁に沿って縦方向に延設される背面部である。図５に示すように、背面板部３９は、その上端が天壁２５を閉鎖した際に該天壁に当たるような高さ位置に設定されている。これにより、開閉扉部１６及び天壁２５を閉鎖した状態では、花卉を保持する内台部１４の下端は底壁に当接し、背面板部の上端が天壁に当接して上下を規制され、その結果、搬送する際に、箱体１２に対して内台部１４が上下にずれるのを確実に防止できる。
【００３７】
内台部１４の左右サイド板部４０、４１は、台板部３６の左右側方から縦方向に延長されるとともに、箱体１２の左右の側面壁２３、２４に沿って高く立設されている。図５、図７に示すように、左右サイド板部４０、４１は、例えば、背面板部の上端から台板部の前端へ向けて前下がりに斜めに形成され、斜辺が波形形状となる略三角形状に形成されている。左右サイド板部４０、４１は、少なくとも箱体の左右側面壁の前部側部分２３Ｆ、２４Ｆに対応する位置で台板部から上方に突設する部分を有し、該前部側部分２３Ｆ、２４Ｆが箱体１２の内部に移動するのを規制することができる。さらに、左右サイド板部４０、４１が前下がりに斜めに設けられているので、開閉扉部１６を開放した状態で箱体１２の左右側面の前上方に開放部分が形成される。
【００３８】
次に図１２を参照しつつ、本実施形態に係る花卉用箱装置１０の作用について説明する。花卉用箱装置１０の開閉扉部１６を開放して、内台部１４の孔４２に花卉Ｆの鉢を差し入れて固定し、花卉Ｆを箱体１２内部に収容する。花卉を運搬する場合には、図１２（ａ）に示すように、開閉扉部１６及び天壁２５を閉鎖し、開閉扉部１６の突設片２６を左側面壁２３側の差し込み孔部３２に差し込んで係止するとともに、天壁２５の突設片３２を後面壁２２の差し込み孔部２８に差し込んで係止して閉鎖状態Ｔ１とする。開閉扉部１６を閉鎖する際には、開閉扉部１６の下端が内台部によって箱体内部へ入るのを規制され、開閉扉部によって花卉を傷付けるのを防止できる。なお、運搬時には、開閉扉部１６と左側面壁と係止手段の周辺や天壁と後面壁との係止部分の周辺を補助的にテープで留めることとしてもよい。この閉鎖状態では、図５に示すように、内台部１４の背面板部３９の上端が天壁２５に当たるので内台部１４が箱体内でずれるのを確実に防止でき、その結果運搬時の花卉の傷付きを良好に防止できる。
【００３９】
一方、花卉用箱装置１０に収容した花卉Ｆが見えるように展示する場合には、図１２（ａ）の閉鎖状態から図１２（ｂ）に示すように開閉扉部１６と天壁２５のそれぞれの突設片２６、３２を差し込み孔部３２、２８からそれぞれ離脱して、前方に向けて開く。そして図１２（ｃ）、（ｄ）に示すように、箱体１２の左右側面壁２３、２４を中央の折り線２３Ｌ、２４Ｌから前部側部分２３Ｆ、２４Ｆを折り曲げて重ね合わせるとともに、天壁２５を逆に折り曲げて開閉扉部１６に重ね合わせる。さらに開閉扉部１６を折り曲げて箱体１２の後面壁２２との間に天壁２５を挟み付けながら該後面壁２２と重ね合わせて、該開閉扉部１６の突設片２６を、左側面壁２３の差し込み孔部３２に差し込んで係止して開放状態Ｔ２とする。これにより、図１２（ｅ）に示すように、開閉扉部１６が箱体の後面壁に重ね合わされて収束させた状態で保持され、花卉Ｆを見栄え良く展示できる。さらに、この展示状態では、天壁も同時に開放されて箱体の天面側を開口されているので、展示した状態で光があたりやすく、花卉の商品価値を損なうことがない。このように、開閉扉部１６と天壁２５、及び左右側面壁２３、２４の一部を開閉することにより、箱体を閉鎖して花卉を保護しながら運搬、管理できる状態と、箱体を開いて花卉を見栄え良く展示できる状態と、に簡単に変換することができる。例えば、花卉の栽培地から出荷する際に予め花卉用箱装置を利用すれば、出荷地から花屋への運搬、花屋での展示、花屋から購入者や届け先への運搬、購入者宅等での展示、等を含む一連の輸送、保管、展示を簡便かつ円滑に行うことができる。
【００４０】
以上説明した本発明の花卉用箱装置は、上記した実施形態のみの構成に限定されるものではなく、特許請求の範囲に記載した本発明の本質を逸脱しない範囲において、任意の改変を行ってもよい。
【産業上の利用可能性】
【００４１】
本発明の花卉用箱装置は、例えば、花や観葉植物等の花卉を展示したり、運搬したり、保管するのに適用される。
【符号の説明】
【００４２】
１０    花卉用箱装置
１２    箱体
１４    内台部
１６    開閉扉部
１８    係止手段
２０    底壁
２１    前面壁
２２    背面壁
２３    左側面壁
２４    右側面壁
２５    天面壁
２６    突設片
３２    差し込み孔部
３６    台板部
３９    背面板部
４０    左サイド板部
４１    右サイド板部
４２    支持部 
【図１】
2015205694.tif 000003
【図２】
2015205694.tif 000004
【図３】
2015205694.tif 000005
【図４】
2015205694.tif 000006
【図５】
2015205694.tif 000007
【図６】
2015205694.tif 000008
【図７】
2015205694.tif 000009
【図８】
2015205694.tif 000010
【図９】
2015205694.tif 000011
【図１０】
2015205694.tif 000012
【図１１】
2015205694.tif 000013
【図１２】
2015205694.tif 000014